(57)【特許請求の範囲】
【請求項１】
第１のトランジスタと、第１の回路と、電流源回路と、を具備し、
前記第１の回路は、第２のトランジスタ及び第３のトランジスタを有し、
前記第１のトランジスタのソースは、前記電流源回路に電気的に接続され、
前記第２のトランジスタのゲートは、前記第１のトランジスタのゲートに電気的に接続され、
前記第２のトランジスタのソースまたはドレインの一方は、前記第１のトランジスタのドレインに電気的に接続され、
前記第２のトランジスタのソースまたはドレインの他方は、第１の配線と電気的に接続され、
前記第３のトランジスタのゲートには、所定の電圧が供給され、
前記第３のトランジスタのソースまたはドレインの一方は、前記第１のトランジスタのドレインに電気的に接続され、
前記第３のトランジスタのソースまたはドレインの他方は、第２の配線と電気的に接続され、
前記第１のトランジスタのゲートは、第３の配線と電気的に接続されることを特徴とする半導体装置。
【請求項２】
第１乃至第３のトランジスタと、第１乃至第５のスイッチと、電流源回路と、を具備し、
前記第１のトランジスタのソースは、前記第１のスイッチを介して前記電流源回路に電気的に接続され、
前記第２のトランジスタのゲートは、前記第２のスイッチを介して前記第１のトランジスタのゲートに電気的に接続され、
前記第２のトランジスタのソースまたはドレインの一方は、前記第３のスイッチを介して前記第１のトランジスタのドレインに電気的に接続され、
前記第２のトランジスタのソースまたはドレインの他方は、第１の配線と電気的に接続され、
前記第３のトランジスタのゲートには、所定の電圧が供給され、
前記第３のトランジスタのソースまたはドレインの一方は、前記第３のスイッチを介して前記第１のトランジスタのドレインに電気的に接続され、
前記第３のトランジスタのソースまたはドレインの他方は、第２の配線と電気的に接続され、
前記第１のトランジスタのゲートは、前記第２のスイッチを介して第３の配線と電気的に接続され
前記第１のトランジスタのソースは、前記第４のスイッチを介して発光素子または第４の配線の一方と電気的に接続され、
前記第１のトランジスタのドレインは、前記第５のスイッチを介して前記発光素子または前記第４の配線の他方と電気的に接続されることを特徴とする半導体装置。
【請求項３】
請求項１または２に記載の半導体装置と、操作キーとを具備する電子機器。
【発明の詳細な説明】
【技術分野】
【０００１】
本発明は負荷に供給する電流をトランジスタで制御する機能を設けた半導体装置に係り、特に電流によって輝度が変化する電流駆動型発光素子で形成された画素や、画素を駆動する信号線駆動回路を含む半導体装置に関する。
【背景技術】
【０００２】
近年、画素を発光ダイオード（ＬＥＤ）などの発光素子で形成した、いわゆる自発光型の表示装置が注目を浴びている。このような自発光型の表示装置に用いられる発光素子としては、有機発光ダイオード（ＯＬＥＤ（Ｏｒｇａｎｉｃ  Ｌｉｇｈｔ  Ｅｍｉｔｔｉｎｇ  Ｄｉｏｄｅ）、有機ＥＬ素子、エレクトロルミネッセンス（Ｅｌｅｃｔｒｏ  Ｌｕｍｉｎｅｓｃｅｎｃｅ：ＥＬ）素子などとも言う）が注目を集めており、有機ＥＬディスプレイなどに用いられるようになってきている。
【０００３】
ＯＬＥＤなどの発光素子は自発光型であるため、液晶ディスプレイに比べて画素の視認性が高く、バックライトが不要で応答速度が速い等の利点がある。また発光素子の輝度は、そこを流れる電流値によって制御される。
【０００４】
このような自発光型の発光素子を用いた表示装置では、その駆動方式として単純マトリックス方式とアクティブマトリックス方式とが知られている。前者は構造は簡単であるが、大型かつ高輝度のディスプレイの実現が難しい等の問題があり、近年は発光素子に流れる電流を画素回路内部に設けた薄膜トランジスタ（ＴＦＴ）によって制御するアクティブマトリックス方式の開発が盛んに行われている。
【０００５】
このようなアクティブマトリックス方式の表示装置の場合、駆動ＴＦＴの電流特性のバラツキにより発光素子に流れる電流が変化し輝度がばらついてしまうという問題があった。
【０００６】
つまり、このようなアクティブマトリックス方式の表示装置の場合、画素回路には発光素子に流れる電流を駆動する駆動ＴＦＴが用いられており、これらの駆動ＴＦＴの特性がばらつくことにより発光素子に流れる電流が変化し、輝度がばらついてしまうという問題があった。そこで画素回路内の駆動ＴＦＴの特性がばらついても発光素子に流れる電流は変化せず、輝度のバラツキを抑えるための種々の回路が提案されている。
【０００７】
特許文献１乃至４は、いずれもアクティブマトリックス型表示装置の構成を開示したもので、特許文献１乃至３には、画素回路内に配置された駆動ＴＦＴの特性のバラツキによって発光素子に流れる電流が変化しないような回路構成が開示されている。この構成は、電流書き込み型画素、もしくは電流入力型画素などと呼ばれている。また特許文献４には、ソースドライバ回路内のＴＦＴのバラツキによる信号電流の変化を抑制するための回路構成が開示されている。
【０００８】
図６に、特許文献１に開示されている従来のアクティブマトリックス型表示装置の第１の構成例を示す。図６の画素は、ソース信号線６０１、第１〜第３のゲート信号線６０２〜６０４、電流供給線６０５、ＴＦＴ６０６〜６０９、容量素子６１０、ＥＬ素子６１１、映像信号入力用電流源６１２を有する。
【０００９】
ＴＦＴ６０６のゲート電極は、第１のゲート信号線６０２に接続され、第１の電極はソース信号線６０１に接続され、第２の電極は、ＴＦＴ６０７の第１の電極、ＴＦＴ６０８の第１の電極、およびＴＦＴ６０９の第１の電極に接続されている。ＴＦＴ６０７のゲート電極は、第２のゲート信号線６０３に接続され、第２の電極はＴＦＴ６０８のゲート電極に接続されている。ＴＦＴ６０８の第２の電極は、電流供給線６０５に接続されている。ＴＦＴ６０９のゲート電極は、第３のゲート信号線６０４に接続され、第２の電極はＥＬ素子６１１の陽極に接続されている。容量素子６１０はＴＦＴ６０８のゲート電極と電流供給線６０５との間に接続され、ＴＦＴ６０８のゲート・ソース間電圧を保持する。電流供給線６０５およびＥＬ素子６１１の陰極には、それぞれ所定の電位が入力され、互いに電位差を有する。
【００１０】
図７Ａ〜７Ｅを用いて、信号電流の書き込みから発光までの動作について説明する。図中、各部を示す図番は、図６に準ずる。図７Ａ〜７Ｃは、電流の流れを模式的に示している。図７Ｄは、信号電流の書き込み時における各経路を流れる電流の関係を示しており、図７Ｅは、同じく信号電流の書き込み時に、容量素子６１０に蓄積される電圧、つまりＴＦＴ６０８のゲート・ソース間電圧について示している。
【００１１】
まず、第１のゲート信号線６０２および第２のゲート信号線６０３にパルスが入力され、ＴＦＴ６０６、６０７がＯＮする。このとき、ソース信号線６０１を流れる電流、すなわち信号電流をＩｄａｔａとする。
【００１２】
ソース信号線６０１には、電流Ｉｄａｔａが流れているので、図７Ａに示すように、画素内では、電流の経路はＩ１とＩ２とに分かれて流れる。これらの関係を図７Ｄに示している。なお、Ｉｄａｔａ＝Ｉ１＋Ｉ２であることは言うまでもない。
【００１３】
ＴＦＴ６０６がＯＮした瞬間には、まだ容量素子６１０には電荷が保持されていないため、ＴＦＴ６０８はＯＦＦしている。よって、Ｉ２＝０となり、Ｉｄａｔａ＝Ｉ１となる。すなわちこの間は、容量素子６１０における電荷の蓄積による電流のみが流れている。
【００１４】
その後、徐々に容量素子６１０に電荷が蓄積され、両電極間に電位差が生じ始める（図７Ｅ）。両電極の電位差がＶｔｈとなると（図７Ｅ  Ａ点）、ＴＦＴ６０８がＯＮして、Ｉ２が生ずる。先に述べたように、Ｉｄａｔａ＝Ｉ１＋Ｉ２であるので、Ｉ１は次第に減少するが、依然電流は流れており、さらに容量素子には電荷の蓄積が行われる。
【００１５】
容量素子６１０においては、その両電極の電位差、つまりＴＦＴ６０８のゲート・ソース間電圧が所望の電圧、つまりＴＦＴ６０８がＩｄａｔａの電流を流すことが出来るだけの電圧（Ｖｇｓ）になるまで電荷の蓄積が続く。やがて電荷の蓄積が終了する（図７Ｅ  Ｂ点）と、電流Ｉ１は流れなくなり、さらにＴＦＴ６０８はそのときのＶｇｓに見合った電流が流れ、Ｉｄａｔａ＝Ｉ２となる（図７Ｂ）。こうして、定常状態に達する。以上で信号の書き込み動作が完了する。最後に第１のゲート信号線６０２および第２のゲート信号線６０３の選択が終了し、ＴＦＴ６０６、６０７がＯＦＦする。
【００１６】
続いて、発光動作に移る。第３のゲート信号線６０４にパルスが入力され、ＴＦＴ６０９がＯＮする。容量素子６１０には、先ほど書き込んだＶｇｓが保持されているため、ＴＦＴ６０８はＯＮしており、電流供給線６０５から、Ｉｄａｔａの電流が流れる。これによりＥＬ素子６１１が発光する。このとき、ＴＦＴ６０８が飽和領域において動作するようにしておけば、ＴＦＴ６０８のソース・ドレイン間電圧が変化したとしても、Ｉｄａｔａは変わりなく流れることが出来る。
【００１７】
このように、設定した電流を出力する動作を、出力動作と呼ぶことにする。以上に一例を示した、電流書き込み型画素のメリットとして、ＴＦＴ６０８の特性等にばらつきがあった場合であっても、容量素子６１０には、電流Ｉｄａｔａを流すのに必要なゲート・ソース間電圧が保持されるため、所望の電流を正確にＥＬ素子に供給することが出来、よってＴＦＴの特性ばらつきに起因した輝度ばらつきを抑えることが可能になる点がある。
【００１８】
以上の例は、画素回路内での駆動ＴＦＴのバラツキによる電流の変化を補正するための技術に関するものであるが、ソースドライバ回路内においても同一の問題が発生する。特許文献４には、ソースドライバ回路内でのＴＦＴの製造上のバラツキによる信号電流の変化を防止するための回路構成が開示されている。
【００１９】
また、特許文献１乃至４とは異なる方式が、特許文献５に開示されている。その構成図を図４４に示す。図４４は、発光素子（ＥＬ）を駆動する電流を供給する供給トランジスタ（Ｍ５）から流れる電流（Ｉｒ）と同じ電流値の電流（Ｉｓ）を参照トランジスタ（Ｍ４）を介して駆動制御回路（２ａ）に導き、該電流（Ｉｓ）と参照トランジスタ（Ｍ４）のソース・ドレイン電圧情報（Ｖｓ）と供給トランジスタ（Ｍ５）のソース・ドレイン電圧情報（Ｖｒ、Ｖｄｒｖ）とに基づいて、電流（Ｉｓ）が所望の設定電流値（Ｉｄｒｖ）に近づくように且つ各ソース・ドレイン電圧情報（Ｖｓ、Ｖｒ）が等しくなるように制御することが可能な構成を有する電流供給回路（１）と駆動制御回路（２ａ）とを備えた発光素子の駆動回路である。
【先行技術文献】
【特許文献】
【００２０】
【特許文献１】特許出願公表番号２００２−５１７８０６号公報
【特許文献２】国際公開第  ０１／０６４８４号パンフレット
【特許文献３】特許出願公表番号２００２−５１４３２０号公報
【特許文献４】国際公開第  ０２／３９４２０号パンフレット
【特許文献５】特許出願公表番号２００３−１０８０６９号公報
【発明の概要】
【発明が解決しようとする課題】
【００２１】
このように、従来の技術では、信号電流とＴＦＴを駆動する電流、或いは信号電流と発光素子に発光時に流れる電流とが等しくなるように、または比例関係を保つように構成されている。
【００２２】
しかしながら、信号電流を駆動ＴＦＴや発光素子に供給するために用いられる配線の寄生容量は極めて大きいため、信号電流が小さい場合には配線の寄生容量を充電する時定数が大きくなり、信号書き込み速度が遅くなってしまうという問題点がある。すなわち、トランジスタに信号電流を供給しても、それを流すのに必要な電圧をゲート端子に生じさせるまでの時間が長くなってしまい、信号の書き込み速度が遅くなってしまうことが問題となっている。
【００２３】
また、図４４の構成の場合、トランジスタＭ７とトランジスタＭ９は、電流特性が揃っている必要がある。もし、ばらつけば、発光素子（ＥＬ）に流れる電流もばらついてしまう。同様に、トランジスタＭ８とトランジスタＭ１１、トランジスタＭ１０とトランジスタＭ１２なども、電流特性が揃っている必要がある。このように、多くのトランジスタにおいて、電流特性が揃っている必要がある。もし揃っていなければ、発光素子（ＥＬ）に流れる電流もばらついてしまう。また、図４４と図６とを見比べれば分かるとおり、図４４は、トランジスタ数が非常に多く、回路が複雑である。そのため、製造歩留まりが落ちて、コストが高くなってしまったり、回路のレイアウト面積が大きくなってしまったり、消費電力が高くなってしまったりする。
【００２４】
本発明はこのような問題点に鑑み、あまり複雑な構成にしなくても、トランジスタの特性バラツキの影響を低減し、信号電流が小さな場合であっても信号の書き込み速度を十分に向上させることのできる半導体装置を提供することを目的とする。
【課題を解決するための手段】
【００２５】
本発明は、負荷に電流を供給するトランジスタにかかる電位を増幅回路を用いて制御するものであり、帰還回路を形成することによってトランジスタのソースもしくはドレインにかかる電位を安定化させることにより上記目的を達成するものである。
【００２６】
本発明は、負荷に供給する電流をトランジスタで制御する回路を具備する半導体装置であって、前記トランジスタのソースまたはドレインが電流源回路と接続され、前記電流源回路から前記トランジスタに電流が供給されたとき、前記トランジスタが飽和領域で動作するように前記トランジスタのソースまたはドレインの電位を制御する増幅回路が備えられていることを特徴とするものである。
【００２７】
本発明は、負荷に供給する電流をトランジスタで制御する回路を具備する半導体装置であって、前記トランジスタのソースまたはドレインが電流源回路と接続され、前記トランジスタのソースまたはドレインの電位を安定化させる増幅回路が備えられていることを特徴とするものである。
【００２８】
本発明は、負荷に供給する電流をトランジスタで制御する回路を具備する半導体装置であって、前記トランジスタのソースまたはドレインが電流源回路と接続され、前記トランジスタのソースまたはドレインの電位を安定化させる帰還回路が備えられていることを特徴とするものである。
【００２９】
本発明は、負荷に供給する電流を制御するトランジスタと、オペアンプを具備する半導体装置であって、電流源回路に接続する前記トランジスタのドレイン端子側に前記オペアンプの反転入力端子が接続され、前記オペアンプの非反転入力端子は、前記トランジスタのゲート端子側と接続され、前記オペアンプの出力端子は、前記トランジスタのソース端子側と接続されていることを特徴とするものである。
【００３０】
本発明は、負荷に供給する電流を制御するトランジスタと、オペアンプを具備する半導体装置であって、電流源回路に接続する前記トランジスタのドレイン端子側に前記オペアンプの反転入力端子が接続され、前記オペアンプの非反転入力端子は、前記トランジスタのゲート端子側と接続され、前記オペアンプの出力端子は、前記トランジスタの前記ドレイン端子側と接続されていることを特徴とするものである。
【００３１】
本発明は、負荷に供給する電流を制御するトランジスタと、電圧フォロワ回路を具備する半導体装置であって、電流源回路に接続する前記トランジスタのゲート端子側に前記電圧フォロワ回路入力端子が接続され、前記電圧フォロワ回路の出力端子は、前記トランジスタのドレイン端子側と接続されていることを特徴とするものである。この発明の構成において、電圧フォロワ回路がソースフォロワ回路で構成されていても良い。
【００３２】
本発明において、適用可能なトランジスタの種類に限定はなく、非晶質シリコンや多結晶シリコンに代表される非単結晶半導体膜を用いた薄膜トランジスタ（ＴＦＴ）、半導体基板やＳＯＩ基板を用いて形成されるＭＯＳ型トランジスタ、接合型トランジスタ、有機半導体やカーボンナノチューブを用いたトランジスタ、その他のトランジスタを適用することができる。また、トランジスタが配置されている基板の種類に限定はなく、単結晶基板、ＳＯＩ基板、ガラス基板などに配置することが出来る。
【００３３】
なお、本発明において、接続されているとは、電気的に接続されていることと同義である。したがって、間に、別の素子やスイッチなどが配置されていてもよい。
【発明の効果】
【００３４】
本発明では、増幅回路を用いて帰還回路を形成し、その回路によって、トランジスタを制御する。そして、そのトランジスタがバラツキの影響を受けずに均一な電流を出力できるようになる。そのような設定を行う場合、増幅回路を用いて行うため、すばやく、設定動作を行うことが出来る。そのため、出力動作において、正確な電流を出力することが出来る。また、増幅回路は、電流特性がばらついても、正確に設定動作を行うことができる。そのため、ＴＦＴのような、電流特性のバラツキの大きなトランジスタを用いて、増幅回路を構成することが容易になる。
【図面の簡単な説明】
【００３５】
【図１】本発明の半導体装置の構成を説明する図である。
【図２】本発明の半導体装置の構成を説明する図である。
【図３】本発明の半導体装置の構成を説明する図である。
【図４】本発明の半導体装置の構成を説明する図である。
【図５】本発明の半導体装置の構成を説明する図である。
【図６】従来の画素の構成を説明する図である。
【図７】従来の画素の動作を説明する図である。
【図８】本発明の半導体装置の構成を説明する図である。
【図９】本発明の半導体装置の構成を説明する図である。
【図１０】本発明の半導体装置の構成を説明する図である。
【図１１】本発明の半導体装置の構成を説明する図である。
【図１２】本発明の半導体装置の動作を説明する図である。
【図１３】本発明の半導体装置の動作を説明する図である。
【図１４】本発明の半導体装置の動作を説明する図である。
【図１５】本発明の半導体装置の動作を説明する図である。
【図１６】本発明の半導体装置の動作を説明する図である。
【図１７】本発明の半導体装置の動作を説明する図である。
【図１８】本発明の半導体装置の構成を説明する図である。
【図１９】本発明の半導体装置の構成を説明する図である。
【図２０】本発明の半導体装置の動作を説明する図である。
【図２１】本発明の半導体装置の動作を説明する図である。
【図２２】本発明の半導体装置の動作を説明する図である。
【図２３】本発明の半導体装置の構成を説明する図である。
【図２４】本発明の半導体装置の構成を説明する図である。
【図２５】本発明の半導体装置の構成を説明する図である。
【図２６】本発明の半導体装置の構成を説明する図である。
【図２７】本発明の半導体装置の動作を説明する図である。
【図２８】本発明の半導体装置の動作を説明する図である。
【図２９】本発明の半導体装置の構成を説明する図である。
【図３０】本発明の半導体装置の構成を説明する図である。
【図３１】本発明の半導体装置の構成を説明する図である。
【図３２】本発明の半導体装置の構成を説明する図である。
【図３３】本発明の半導体装置の構成を説明する図である。
【図３４】本発明の半導体装置の構成を説明する図である。
【図３５】本発明の半導体装置の構成を説明する図である。
【図３６】本発明の半導体装置の構成を説明する図である。
【図３７】本発明の半導体装置の構成を説明する図である。
【図３８】本発明の表示装置の構成を示す図である。
【図３９】本発明の表示装置の構成を示す図である。
【図４０】本発明の表示装置の動作を示す図である。
【図４１】本発明の表示装置の動作を示す図である。
【図４２】本発明の表示装置の動作を示す図である。
【図４３】本発明が適用される電子機器の図である。
【図４４】従来の画素の構成を説明する図である。
【発明を実施するための形態】
【００３６】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。
【００３７】
（実施の形態１）
本発明は、発光素子に流れる電流値によって発光輝度を制御することが可能な素子で画素を形成する。代表的にはＥＬ素子を適用することができる。ＥＬ素子の構成としては種々知られたものがあるが、電流値により発光輝度を制御可能なものであれば、どのような素子構造であっても本発明に適用することができる。すなわち、発光層、電荷輸送層または電荷注入層を自由に組み合わせてＥＬ素子を形成するものであり、そのための材料として、低分子系有機材料、中分子系有機材料（昇華性を有さず、かつ、分子数が２０以下または連鎖する分子の長さが１０μｍ以下の有機発光材料）や高分子系有機材料を用いることができる。また、これらに無機材料を混合または分散させたものを用いても良い。
【００３８】
また、ＥＬ素子などのような発光素子を有する画素だけでなく、電流源を有する様々なアナログ回路に適用することが出来る。そこでまず、本実施の形態では、本発明の原理について述べる。
【００３９】
まず、図１に、本発明の基本原理に基づく構成について示す。配線１０４に、電流源回路１０１と電流源トランジスタ１０２が接続されている。図１では、電流源回路１０１から電流源トランジスタ１０２の方へ電流が流れる場合について示している。そして、増幅回路１０７の第１入力端子１０８が電流源トランジスタ１０２のゲート端子に接続されている。また、増幅回路１０７の第２入力端子１１０が電流源トランジスタ１０２のドレイン端子に接続されている。増幅回路１０７の出力端子１０９は、電流源トランジスタ１０２のソース端子に接続されている。また、配線１０５に、電流源トランジスタ１０２のゲート端子が接続されている。
【００４０】
容量素子１０３が、電流源トランジスタ１０２のゲート電圧を保持するために、電流源トランジスタ１０２のゲート端子と配線１０６に接続されている。なお、容量素子１０３は、電流源トランジスタ１０２のゲート容量などで代用することにより、省略することが出来る。
【００４１】
このような構成において、電流源回路１０１から電流Ｉｄａｔａを供給し、入力する。電流Ｉｄａｔａは、電流源トランジスタ１０２に流れる。増幅回路１０７は、電流源回路１０１から供給する電流Ｉｄａｔａが電流源トランジスタ１０２に流れ、かつ、電流源トランジスタ１０２が飽和領域で動作するような状態で、定常状態になるように状態に制御する。すると、電流源トランジスタ１０２のソース電位は、電流源トランジスタ１０２が電流Ｉｄａｔａを流すのに必要な値に制御される。つまり、電流源トランジスタ１０２が電流Ｉｄａｔａを流すのに必要なゲート・ソース間電圧になるように、電流源トランジスタ１０２のソース電位が制御される。このとき、電流源トランジスタ１０２のソース電位は、電流源トランジスタ１０２の電流特性（移動度やしきい値電圧など）やサイズ（ゲート幅Ｗやゲート長Ｌ）に依存せずに、適切な大きさになる。したがって、電流源トランジスタ１０２の電流特性やサイズがばらついても、電流源トランジスタ１０２は、電流Ｉｄａｔａを流すことが出来るようになる。その結果、その電流源トランジスタ１０２は、電流源として動作させることができ、さまざまな負荷（別の電流源トランジスタや画素や信号線駆動回路など）に電流を供給することが可能となる。
【００４２】
そして、増幅回路１０７は、出力インピーダンスが高くない。したがって、大きな電流を出力することが出来る。よって、電流源トランジスタ１０２のソース端子を素早く充電することが出来る。つまり、電流Ｉｄａｔａの書き込み速度が速くなり、素早く書き込みを完了させることができ、定常状態に達するまでの時間が短くてすむようになる。
【００４３】
次に、増幅回路１０７の動作について述べる。増幅回路１０７は、第１入力端子１０８と第２入力端子１１０の電圧を検知して、その入力電圧を増幅させて、出力端子１０９に出力する機能を有している。そして、図１では、第２入力端子１１０と出力端子１０９とが、電流源トランジスタ１０２のソース・ドレイン間を介して、接続されている。つまり、帰還回路が形成されている。帰還回路になっているため、出力端子１０９や第１入力端子１０８（電流源トランジスタ１０２のゲート端子）の電圧によって、第２入力端子１１０の電圧も変わる。第２入力端子１１０の電圧が変われば、出力端子１０９の電圧も変わる。そのような帰還動作を経て、各入力端子の状態が安定するような電圧が、出力されるようになる。
【００４４】
図１では、電流源トランジスタ１０２のゲート端子は、第１入力端子１０８に接続され、電流源トランジスタ１０２のソース端子は、出力端子１０９に接続され、電流源トランジスタ１０２のドレイン端子は、第２入力端子１１０に接続されている。よって、電流源トランジスタ１０２のドレイン端子とゲート端子の間の電圧が安定するような電圧が、増幅回路１０７によって電流源トランジスタ１０２のソース端子に出力されるようになる。このとき、電流源トランジスタ１０２には、電流源回路１０１から電流Ｉｄａｔａが供給されている。したがって、電流源トランジスタ１０２が電流Ｉｄａｔａを流すのに必要な電圧が、電流源回路１０１から電流源トランジスタ１０２のソース端子へ出力されるようになる。つまり、電流源トランジスタ１０２が電流Ｉｄａｔａを流すのに必要なゲート・ソース間電圧になるような電圧が、電流源トランジスタ１０２のソース端子へ出力されるようになる。
【００４５】
なお、一般に、トランジスタ（ここでは簡単のため、ＮＭＯＳ型トランジスタであるとする）の動作領域は、線形領域と飽和領域とに分けることが出来る。その境目は、ドレイン・ソース間電圧をＶｄｓ、ゲート・ソース間電圧をＶｇｓ、しきい値電圧をＶｔｈとすると、（Ｖｇｓ−Ｖｔｈ）＝Ｖｄｓの時になる。（Ｖｇｓ−Ｖｔｈ）＞Ｖｄｓの場合は、線形領域であり、Ｖｄｓ、Ｖｇｓの大きさによって電流値が決まる。一方、（Ｖｇｓ−Ｖｔｈ）＜Ｖｄｓの場合は飽和領域になり、Ｖｄｓが変化しても、電流値はほとんど変わらない。つまり、Ｖｇｓの大きさだけによって電流値が決まる。
【００４６】
以上のことから、電流源トランジスタ１０２が飽和領域で動作するように、増幅回路１０７が電流源トランジスタ１０２を制御すればよい。そうすると、電流源トランジスタ１０２のゲート・ソース間電圧は、電流Ｉｄａｔａを流すのに必要な電圧に設定されるようになる。電流源トランジスタ１０２が飽和領域で動作するためには、（Ｖｇｓ−Ｖｔｈ）＜Ｖｄｓを満たせばよい。通常、Ｎチャネル型トランジスタでは、Ｖｔｈ＞０であるため、少なくとも、電流源トランジスタ１０２のドレイン端子の電位は、ゲート端子の電位と等しいか、それ以上になっていればよい。このような動作を実現するように、増幅回路１０７が電流源トランジスタ１０２を制御することになる。
【００４７】
以上のように、増幅回路１０７を有する帰還回路を用いることにより、電流源トランジスタ１０２が、電流源回路１０１から供給される電流と同じ大きさの電流を流すことが出来るように、ゲート・ソース間電圧を設定することが出来る。この時、増幅回路１０７を用いているため、設定をすばやく完了させることが出来、短い時間で書き込みが終了する。そして、設定された電流源トランジスタ１０２は、電流源回路として動作させることが出来、さまざまな負荷に電流を供給できる。
【００４８】
なお、図１では、電流源回路１０１から電流源トランジスタ１０２の方へ電流が流れる場合について示しているが、これに限定されない。図２では、電流源トランジスタ２０２から電流源回路２０１の方へ電流が流れる場合について示している。このように、電流源トランジスタ２０２の極性を変更することによって、回路の接続関係を変更せずに、電流の向きを変えることが出来る。ここで、２０３は容量素子、２０４〜２０６は配線、２０７は増幅回路、２０８は第１入力端子、２０９は出力端子、２１０は第２入力端子を示す。
【００４９】
なお、図１では、電流源回路１０１はＮチャネル型トランジスタを用いているが、これに限定されない。Ｐチャネル型トランジスタを用いてもよい。ただし、電流の流れる向きを変更せずにトランジスタの極性を変更すると、ソース端子とドレイン端子とが入れ替わる。そのため、回路の接続関係を変更する必要がある。その場合の構成を図３に示す。配線１０４に、電流源回路１０１と電流源トランジスタ３０２が接続されている。図３では、電流源回路１０１から電流源トランジスタ３０２の方へ電流が流れる場合について示しているが、図２の場合と同様に、電流の向きを変更することは可能である。そして、増幅回路１０７の第１入力端子１０８が電流源トランジスタ３０２のゲート端子に接続されている。また、増幅回路１０７の第２入力端子１１０が電流源トランジスタ３０２のドレイン端子に接続されている。増幅回路１０７の出力端子１０９は、電流源トランジスタ３０２のドレイン端子に接続されている。
【００５０】
よって、電流源トランジスタ３０２のドレイン端子とゲート端子の電圧が安定するような電圧が、増幅回路１０７によって電流源トランジスタ３０２のドレイン端子に出力されるようになる。このとき、電流源トランジスタ３０２には、電流源回路１０１から電流Ｉｄａｔａが供給されている。したがって、電流源トランジスタ３０２が電流Ｉｄａｔａを流すのに必要な電圧（別の言い方をすれば、電流源トランジスタ３０２が飽和領域で動作するのに必要な電圧）が、電流源回路１０１から電流源トランジスタ３０２のドレイン端子へ出力されるようになる。そして、電流源トランジスタ３０２のソース電位は、電流源トランジスタ３０２が電流Ｉｄａｔａを流すのに必要なゲート・ソース間電圧になるように、落ち着く。
【００５１】
なお、図１において、容量素子１０３は、電流源トランジスタ１０２のゲート電位を保持できればよいため、配線１０６の電位は、任意でよい。よって、配線１０５と配線１０６の電位は、同じであってもよいし、異なっていても良い。ただし、電流源トランジスタ１０２の電流値はそのゲート・ソース間電圧によって決定される。したがって、容量素子１０３は、電流源トランジスタ１０２のゲート・ソース間電圧を保持することが、より望ましい。したがって、配線１０６は、電流源トランジスタ１０２のソース端子に接続されていることが望ましい。その結果、配線抵抗の影響などを少なくすることが出来る。
【００５２】
同様に、図２において、配線２０６は、電流源トランジスタ２０２のソース端子に接続されていることが望ましい。また、図３において、配線１０６は、電流源トランジスタ３０２のソース端子に接続されていることが望ましい。
【００５３】
（実施の形態２）
実施の形態２では、図１〜図３において用いた増幅回路の例を示す。
【００５４】
まず、増幅回路の例として、オペアンプがあげられる。そこで、増幅回路として、オペアンプを用いた場合について、図１に対応した構成図を図４に示す。増幅回路１０７の第１入力端子１０８がオペアンプ４０７の非反転（正相）入力端子、第２入力端子１１０が反転入力端子に相当している。
【００５５】
オペアンプでは、通常、非反転（正相）入力端子の電位と反転入力端子の電位とは、等しくなるように動作する。したがって、図４の場合は、電流源トランジスタ１０２のゲート電位とドレイン電位とが等しくなるように、電流源トランジスタ１０２のソース電位が制御される。したがって、Ｖｇｓ＝Ｖｄｓであるので、Ｖｔｈ＞０の場合は、電流源トランジスタ１０２は飽和領域で動作することになる。
【００５６】
図４と同様に、図２に対応した構成図を図５に、図３に対応した構成図を図８に示す。ここで、５０７はオペアンプを示す。
【００５７】
図８の場合も、電流源トランジスタ３０２のゲート電位とドレイン電位とが等しくなるように、電流源トランジスタ３０２のドレイン電位が制御される。したがって、ゲート電位とドレイン電位とが等しいので、Ｖｇｓ＝Ｖｄｓとなり、Ｖｔｈ＞０の場合は、電流源トランジスタ３０２は飽和領域で動作することになる。
【００５８】
なお、図４、図５、図８で用いたオペアンプとしては、どのようなタイプのオペアンプでもよい。電圧帰還型オペアンプでもよいし、電流帰還型オペアンプでもよい。位相補償回路のようなさまざまな補正回路を付加したオペアンプでもよい。
【００５９】
なお、オペアンプは、通常、非反転（正相）入力端子の電位と反転入力端子の電位とは、等しくなるように動作するが、特性バラツキなどにより、非反転（正相）入力端子の電位と反転入力端子の電位とは、等しくならない場合がある。つまり、オフセット電圧が生じる場合がある。その場合は、通常のオペアンプと同様に、非反転（正相）入力端子の電位と反転入力端子の電位が等しくなるように調節して動作させてもよい。しかし、本発明の場合、電流源トランジスタ１０２が飽和領域で動作するように制御すればよい。したがって、電流源トランジスタ１０２が飽和領域で動作する範囲内であれば、オペアンプにオフセット電圧が生じても良いし、オフセット電圧がばらついても、影響は与えない。そのため、電流特性のバラツキが大きいようなトランジスタを用いてオペアンプを構成しても、正常に動作することになる。
【００６０】
ここで、図８の回路の接続関係に着目すると、オペアンプの第２入力端子１１０（反転入力端子）が出力端子１０９に接続されていることが分かる。これは通常、電圧フォロワ回路と呼ばれる回路構成である。つまり、第１入力端子１０８（非反転（正相）入力端子）の電圧を出力端子に出力する動作を行い、入出力インピーダンスを変換している。したがって、図８のように接続されたオペアンプだけでなく、電圧フォロワ回路と同様な機能を有する回路であれば、図３において用いた増幅回路１０７として利用できることが分かる。
【００６１】
入出力インピーダンスを変換している回路としては、ソースフォロワ回路があげられる。ただし、通常のソースフォロワ回路は、入力電位と出力電位とは、等しくない。しかし、図３において用いた増幅回路１０７では、入力電位と出力電位とは、等しくなくてもよい。つまり、電流源トランジスタ３０２が飽和領域で動作するように制御できる回路であればよい。そこで、増幅回路１０７としてソースフォロワ回路９０７を用いた場合の構成を図９に示す。入力端子９０８（増幅用トランジスタ９０１のゲート端子）、つまり、電流源トランジスタ３０２のゲート端子の電位が変化すれば、出力端子１０９（増幅用トランジスタ９０１のソース端子）、つまり、電流源トランジスタ３０２のドレイン端子の電位が変化する。電流源トランジスタ１０２のドレイン端子の電位が変化すると、電流源トランジスタ３０２のソース端子の電位が変化する。
【００６２】
図９の場合は、増幅用トランジスタ９０１として、Ｎチャネル型トランジスタを用いている。したがって、入力端子９０８（増幅用トランジスタ９０１のゲート端子）の電位よりも、出力端子１０９（増幅用トランジスタ９０１のソース端子）の電位の方が、増幅用トランジスタ９０１のゲート・ソース間電圧の分だけ低い。したがって、電流源トランジスタ３０２は飽和領域で動作することになる。以上のことから、ソースフォロワ回路９０７を図３増幅回路１０７として利用する場合は、電流源トランジスタ３０２が飽和領域で動作しやすいような構成（図９の場合は、増幅用トランジスタ９０１がＮチャネル型トランジスタ）にすることが望ましい。ただし、正常に動作する範囲であれば、図９でも増幅用トランジスタ９０１をＰチャネル型にしてもよい。図９に対して、電流の流れる向きを逆にした場合の構成図を図１０に示す。図１０から分かるように、各トランジスタの極性を逆にすればよい。
【００６３】
なお、図９、図１０では、バイアス用トランジスタ９０２、１００２を用いて、そのゲート端子９０３、１００３にバイアス電圧を加えて動作させているが、これに限定されない。バイアス用トランジスタ９０２、１００２の代わりに抵抗素子などを用いても良い。あるいは、増幅用トランジスタ９０１、１００１とは逆の極性のトランジスタを用いて、プッシュプル回路を構成してもよい。
【００６４】
なお、ソースフォロワ回路９０７、１００７の場合も、オペアンプの場合と同様、電流源トランジスタ３０２、１０００２が飽和領域で動作する範囲内であれば、出力電圧がばらついても、影響は与えない。そのため、電流特性のバラツキが大きいようなトランジスタを用いてソースフォロワ回路９０７、１００７を構成しても、正常に動作することになる。
【００６５】
このように、電流源トランジスタが飽和領域で動作する範囲内であれば、増幅回路の出力電圧がばらついても、影響は与えない。したがって、電圧フォロワ回路やソースフォロワ回路などにおいても、入力電圧と出力電圧とが、比例関係になっていなくてもよい。つまり、電流源トランジスタが飽和領域で動作するように制御できれば、どのような回路であってもよい。
【００６６】
このように、図１〜図５、図８〜１０において用いた増幅回路１０７、２０７、オペアンプ４０７、５０７、ソースフォロワ回路９０７、１００７は、電流源トランジスタ１０２、２０２、３０２、１００２が飽和領域で動作する範囲内であれば、特性がばらついても、影響は与えない。そのため、電流特性のバラツキが大きいようなトランジスタを用いて増幅回路１０７、２０７、オペアンプ４０７、５０７、ソースフォロワ回路９０７、１００７を構成しても、正常に動作させることができる。
【００６７】
したがって、活性層が単結晶で形成されたトランジスタではなく、薄膜トランジスタ（アモルファス、多結晶を活性層として用いたトランジスタを含む）や有機トランジスタのようなものであっても、有効に動作させることが出来る。
【００６８】
なお、増幅回路１０７、２０７の例として、オペアンプやソースフォロワ回路を用いた例を示したが、これに限定されない。これ以外にも、差動回路やドレイン接地増幅回路やソース接地増幅回路など、さまざまな回路を用いて、増幅回路を構成することが出来る。
なお、本実施の形態で説明した内容は、実施の形態１で説明した構成における、ある部分を詳細に述べたものに相当するが、これに限定されず、その要旨を変更しない範囲であれば様々な変形が可能である。
【００６９】
（実施の形態３）
本発明では、電流源回路から電流Ｉｄａｔａを流して、電流源トランジスタが電流Ｉｄａｔａを流すことが出来るように設定する。そして、設定された電流源トランジスタを電流源回路として動作させ、様々な負荷に電流を供給する。そこで、本実施例では、負荷と電流源トランジスタとの接続構成や、負荷に電流を供給する時のトランジスタの構成などについて述べる。
【００７０】
なお、本実施の形態では、簡単のため、図１の構成や、さらに特に、増幅回路１０７、２０７としてオペアンプ４０７を用いた構成（図４）などを用いて説明するが、これに限定されない。容易に、図２〜５、図８〜１０などで説明したような別の構成に適用することが可能である。
【００７１】
また、電流源回路から電流源トランジスタの方に電流が流れて、かつ、電流源トランジスタがＮチャネル型の場合について説明するが、これに限定されない。容易に、図２〜５、図８〜１０などで説明したような別の構成に適用することが可能である。
【００７２】
まず、電流源回路１０１から電流を供給された電流源トランジスタ１０２のみを用いて、負荷１１０１に電流を供給する場合の構成を図１１に示す。
【００７３】
なお、負荷は、何でもよい。抵抗などのような素子でも、トランジスタでも、ＥＬ素子でも、そのほかの発光素子でも、トランジスタと容量とスイッチなどで構成された電流源回路でも、何かの回路が接続された配線でもよい。信号線でも、信号線とそれに接続された画素でもよい。その画素には、ＥＬ素子やＦＥＤで用いる素子など、どのような表示素子を含んでいてもよい。
【００７４】
図１１の動作方法について、増幅回路１０７としてオペアンプを用いた場合を例にして、述べる。まず、図１２に示すように、スイッチ１１０３、１１０４、１１０７をオンにする。すると、オペアンプ４０７が電流源トランジスタ１０２のソース電位を制御して、電流源回路１０１から供給される電流Ｉｄａｔａを、飽和領域で動作させながら流すのに必要な状態に設定する。このとき、オペアンプ４０７を用いているので、急速に書き込みを行うことが出来る。そして、図１３に示すように、スイッチ１１０４をオフにすると、電流源トランジスタ１０２のゲート電位が容量素子１０３に保持される。そして、図１４に示すように、スイッチ１１０３、１１０７をオフにすると、電流の供給が止まる。そして、図１５に示すように、スイッチ１１０２、１１０６をオンにすると、負荷１１０１に電流が供給される。この電流の大きさは、電流源トランジスタ１０２が飽和領域で動作していれば、Ｉｄａｔａと同じ大きさになる。つまり、電流源トランジスタ１０２の電流特性やサイズなどがばらついても、その影響を除去することが出来る。
【００７５】
なお、配線１０６に、ある電位が加えられている場合、電流を書き込んで設定している時（図１２）と、電流を出力している時（図１５）とでは、電流源トランジスタ１０２のソース電位が変わってしまう場合がある。その場合、電流源トランジスタ１０２のゲート・ソース間電圧も変わってしまう場合がある。ゲート・ソース間電圧が変わってしまうと、電流値も変わってしまう。そこで、電流を書き込んで設定している時（図１２）と、電流を出力している時（図１５）とで、ゲート・ソース間電圧が変わらないようにする必要がある。それを実現するためには、例えば、配線１０６を電流源トランジスタ１０２のソース端子に接続しておけばよい。そのようにすると、たとえ、電流源トランジスタ１０２のソース電位が変わってしまっても、それに合わせてゲート電位も変わるため、結果として、ゲート・ソース間電圧が変わらないようにすることが出来る。
【００７６】
あるいは、配線１１０８の電位を、電流を書き込んで設定している時のオペアンプ４０７の出力電位と等しくなるように制御すればよい。例えば、配線１１０８に電圧フォロワ回路などを接続し、配線１１０８の電位を制御すればよい。
【００７７】
または、図１６、１７に示すように、第２入力端子１１０と配線１６０６との間に容量素子１６０３を配置し、スイッチ１６０４で電荷を保持させることにより、電流を書き込んで設定している時（図１６）だけでなく、電流を出力している時（図１７）も、オペアンプ４０７から電流を供給してもよい。
【００７８】
なお、図１１の回路には、様々な配線（配線１０５、配線１１０８、配線１１０５など）があるが、正常に動作する範囲であれば、配線どうしを接続してもよい。たとえば、配線１０５と配線１１０８は、同程度の電位で動作するため、配線を接続して、回路構成を簡単にしたり、レイアウト面積を小さくすることが出来る。また、配線１１０５と配線１０４も接続しても、動作に大きな影響を与えない。したがって、接続してもよい。
【００７９】
次に、電流源トランジスタとは別のトランジスタを用いて、負荷１１０１に電流を供給する場合の構成図を図１８に示す。カレントトランジスタ１８０２のゲート端子が電流源トランジスタ１０２のゲート端子と接続されている。したがって、電流源トランジスタ１０２のゲート電位に応じた大きさの電流を、カレントトランジスタ１８０２は流すことができ、さらに電流源トランジスタ１０２とカレントトランジスタ１８０２のＷ／Ｌの値を調節することにより、負荷１１０１に供給する電流量を買えることが出来る。たとえば、カレントトランジスタ１８０２のＷ／Ｌの値を小さくしておくと、負荷１１０１に供給する電流量が小さくなるので、逆にＩｄａｔａの大きさを大きくすることが出来る。その結果、電流の書き込みを素早くすることが可能となる。ただし、電流源トランジスタ１０２とカレントトランジスタ１８０２の電流特性がばらつくと、その影響を受けてしまう。
【００８０】
なお、電流を書き込んで設定している時と、電流を出力している時とで、電流源トランジスタ１０２とカレントトランジスタ１８０２のゲート・ソース間電圧が変わらないようにするため、図１９のようにスイッチ１９０６と配線１９０８を接続してもよい。図１９の場合の動作を、図２０、２１に示す。図２０は、電流を書き込んで設定している時の動作を示し、図２１は、電流を出力している時の動作を示す。なお、スイッチ１９０２は、電流を書き込んで設定している時に、余計な電流が流れて、正しく設定できなくなることを防止する役割を持っている。よって、電流を書き込んで設定している時に、図２２に示すように電流が流れ、設定が正しく行える場合は、図２２のように、スイッチ１９０２を省略してもよい。
【００８１】
なお、正常に動作する範囲であれば、配線同士を接続してもよいため、図１９や図２２では、配線１０５と配線１９０８とを接続してもよい。
【００８２】
次に、電流源トランジスタ１０２だけでなく、別のトランジスタも用いて、負荷１１０１に電流を供給する場合の構成図を図２３に示す。電流源回路１０１の電流Ｉｄａｔａを供給する時に、その電流が負荷１１０１に漏れたり、負荷１１０１から漏れてきたりすると、正しい電流で設定することが出来ない。図１１の場合は、スイッチ１１０２を用いて制御するが、図２３の場合は、マルチトランジスタ２３０２を用いて制御する。マルチトランジスタ２３０２のゲート端子は電流源トランジスタ１０２のゲート端子と接続されている。したがって、スイッチ１１０３、１１０４がオンになっていて、電流源トランジスタ１０２が飽和領域で動作している場合は、マルチトランジスタ２３０２はオフしている。したがって、電流源回路１０１の電流Ｉｄａｔａを供給する時には、悪影響を及ぼさない。一方、負荷１１０１に電流を供給するときは、電流源トランジスタ１０２とマルチトランジスタ２３０２とは、ゲート端子が接続されているので、マルチゲートのトランジスタとして動作する。そのため、負荷１１０１には、Ｉｄａｔａよりも小さい電流が流れることになる。よって、負荷に供給する電流量が小さくなるので、逆にＩｄａｔａの大きさを大きくすることが出来る。その結果、電流の書き込みを素早くすることが可能となる。ただし、電流源トランジスタ１０２とマルチトランジスタ２３０２の電流特性がばらつくと、その影響を受けてしまうが、負荷１１０１に電流を供給するとき、電流源トランジスタ１０２も用いるため、バラツキの影響は小さい。
【００８３】
次に、図１８や図２３とは別のやり方で、電流源回路１０１から供給される電流Ｉｄａｔａを大きくするための構成を図２４に示す。図２４では、電流源トランジスタ１０２と並列に並列トランジスタ２４０２が接続されている。したがって、電流源回路１０１から電流が供給される間は、スイッチ２４０１をオンにする。そして、負荷１１０１に電流を供給する場合は、スイッチ２４０１をオフにする。すると、負荷１１０１に流れる電流が小さくなるので、電流源回路１０１から供給される電流Ｉｄａｔａを大きくすることが出来る。
【００８４】
ただしこの場合、電流源トランジスタ１０２と並列トランジスタ２４０２の電流特性がばらつくとバラツキの影響を受けてしまう。そこで、図２４の場合、電流源回路１０１から電流を供給する場合、その大きさを変化させてもよい。つまり、最初は電流を大きくしておく。そのとき、それに合わせて、スイッチ２４０１をオンにしておく。すると、並列トランジスタ２４０２にも電流が流れ、急速に電流を書き込むことが出来る。つまり、プリチャージ動作に相当する。その後、電流源回路１０１から供給する電流を小さくして、スイッチ２４０１をオフにする。そして、電流源トランジスタ１０２にのみ電流を供給して、書き込むようにする。その結果、ばらつきの影響を除去できる。その後、スイッチ１１０２をオンにして、負荷１１０１に電流を供給する。
【００８５】
図２４では、電流源トランジスタ１０２と並列にトランジスタを追加していたが、直列にトランジスタを追加した場合の構成図を図２５に示す。図２５では、電流源トランジスタ１０２と直列に直列トランジスタ２５０２が接続されている。電流源回路１０１から電流が供給される間は、スイッチ２５０１をオンにする。すると、直列トランジスタ２５０２のソース・ドレイン間が短絡される。そして、負荷１１０１に電流を供給する場合は、スイッチ２５０１をオフにする。すると、電流源トランジスタ１０２と直列トランジスタ２５０２は、ゲート端子が接続されているので、マルチゲートのトランジスタとして動作する。そのため、ゲート長Ｌが大きくなったことになり、負荷１１０１に流れる電流が小さくなるので、電流源回路１０１から供給される電流Ｉｄａｔａを大きくすることが出来る。
【００８６】
ただしこの場合、電流源トランジスタ１０２と直列トランジスタ２５０２の電流特性がばらつくとバラツキの影響を受けてしまう。そこで、図２５の場合、電流源回路１０１から電流を供給する場合、その大きさを変化させてもよい。つまり、最初は電流を大きくしておく。そのとき、それに合わせて、スイッチ２５０１をオンにしておく。すると、電流源トランジスタ１０２のみに電流が流れ、急速に電流を書き込むことが出来る。つまり、プリチャージ動作に相当する。その後、電流源回路１０１から供給する電流を小さくして、スイッチ２５０１をオフにする。そして、電流源トランジスタ１０２と直列トランジスタ２５０２に電流を供給して、書き込むようにする。その結果、ばらつきの影響を除去できる。その後、スイッチ１１０２をオンにして、電流源トランジスタ１０２と直列トランジスタ２５０２のマルチゲートのトランジスタとして、負荷１１０１に電流を供給する。
【００８７】
なお、図１１から図２５まで、さまざまな構成を示したが、それらを組み合わせて構成させることも可能である。
【００８８】
なお、、図１１から図２５まで、電流源回路１０１と負荷１１０１とを切り替えるような形で構成しているが、これに限定されない。例えば、電流源回路１０１と配線とを切り替えて構成してもよい。そこで、図１１に対して、電流源回路１０１と配線とを切り替える構成にしたものを図２６に示す。次に、図２６の動作について示す。まず、電流源回路１０１から電流Ｉｄａｔａを電流源トランジスタ１０２に供給して、電流を設定する場合は、スイッチ１１０３、１１０４、１１０７をオンにする。そして、電流源トランジスタ１０２を電流源回路として動作させ、負荷に電流を供給する場合は、スイッチ１１０３、１１０４、１１０７をオフにして、スイッチ２６０２、１１０２をオンにする。このように、スイッチ１１０３とスイッチ２６０２のオンオフを切り替えることにより、電流源回路１０１と配線２６０５とを切り替えていることになる。
【００８９】
なお、電流源回路１０１から電流Ｉｄａｔａを電流源トランジスタ１０２に供給する場合、スイッチ１１０２をオフにして、負荷１１０１の方に電流が流れないようにしているが、これに限定されない。電流源回路１０１から電流Ｉｄａｔａを電流源トランジスタ１０２に供給する場合、負荷１１０１の方に電流が流れても良い。その場合は、スイッチ１１０２を省略できる。
【００９０】
なお、容量素子１０３は、電流源トランジスタ１０２のゲート電位を保持しているが、ゲート・ソース間電圧を保持するために、配線１０６を電流源トランジスタ１０２のソース端子に接続することがより望ましい。
【００９１】
なお、図１１に対して、電流源回路１０１と負荷１１０１とを切り替えるような形で構成した図を図２６に示したが、これに限定されない。図１１から図２５までのさまざまな構成においても、電流源回路１０１と負荷１１０１とを切り替えるような形で構成することが可能である。
【００９２】
なお、これまで述べてきた構成において、スイッチが各部分に配置されているが、その配置場所は、すでに述べた場所に限定されない。正常に動作する場所であれば、任意の場所にスイッチを配置することが可能である。
【００９３】
例えば、図１１の構成の場合、電流源回路１０１から電流Ｉｄａｔａを電流源トランジスタ１０２に供給している時には、図２７のように接続され、電流源トランジスタ１０２を電流源回路として動作させ、負荷１１０１に電流を供給する時には、図２８のように接続されていればよい。したがって、図１１は、図２９のように接続されていてもよい。図２９では、スイッチ１１０２、１１０３、１１０４の位置が変更されているが、正常に動作する。
【００９４】
同様に、図１９は、図３０のように接続されていてもよい。図３０では、スイッチ１１０４の位置が変更されているが、正常に動作する。
【００９５】
なお、図１１などに示すスイッチは、電気的スイッチでも機械的なスイッチでも何でも良い。電流の流れを制御できるものなら、何でも良い。トランジスタでもよいし、ダイオードでもよいし、それらを組み合わせた論理回路でもよい。よって、スイッチとしてトランジスタを用いる場合、そのトランジスタは、単なるスイッチとして動作するため、トランジスタの極性（導電型）は特に限定されない。ただし、オフ電流が少ない方が望ましい場合、オフ電流が少ない方の極性のトランジスタを用いることが望ましい。オフ電流が少ないトランジスタとしては、ＬＤＤ領域を設けているもの等がある。また、スイッチとして動作させるトランジスタのソース端子の電位が、低電位側電源（Ｖｓｓ、Ｖｇｎｄ、０Ｖなど）に近い状態で動作する場合はｎチャネル型を、反対に、ソース端子の電位が、高電位側電源（Ｖｄｄなど）に近い状態で動作する場合はｐチャネル型を用いることが望ましい。なぜなら、ゲート・ソース間電圧の絶対値を大きくできるため、スイッチとして、動作しやすいからである。なお、ｎチャネル型とｐチャネル型の両方を用いて、ＣＭＯＳ型のスイッチにしてもよい。
【００９６】
このように様々な例を示したが、これに限定されない。電流源トランジスタや、電流源として動作するような様々なトランジスタを、いろいろな構成で配置することが出来る。また、正常に動作する範囲であれば、配線どうしを接続してもよい。よって、同様な動作をする構成であれば、本願を適用することが可能である。
【００９７】
なお、本実施の形態で説明した内容は、実施の形態１、２で説明した構成を利用したもの相当するが、これに限定されず、その要旨を変更しない範囲であれば様々な変形が可能である。したがって、実施の形態１、２で説明した内容は、本実施の形態にも適用できる。
【００９８】
（実施の形態４）
これまでは、電流源回路と電流源トランジスタとが１対１で配置されている場合について述べてきた。本実施の形態では、電流源トランジスタなどが複数ある場合の構成について述べる。
【００９９】
図３１に、図１２の構成で、電流源トランジスタが複数ある場合の構成を示す。図３１では、複数の電流源トランジスタ１０２ａ、１０２ｂに対して、電流源回路１０１とオペアンプ４０７を１つづつにした場合について示す。ただし、複数の電流源トランジスタに対して、複数の電流源回路があってもよいし、複数のオペアンプがあってもよい。しかし、回路規模が大きくなるので、電流源回路１０１とオペアンプ４０７を１つづつにすることが望ましい。ただし、図９の増幅回路（ソースフォロワ回路９０７）は、トランジスタ２個で構成されている場合が多いので、複数の電流源トランジスタに対して、複数の増幅回路（ソースフォロワ回路）を配置してもよい。
【０１００】
次に、図３１の構成について述べる。まず、電流源回路１０１とオペアンプ４０７が配置されている。これをまとめて、リソース回路３１０１と呼ぶことにする。リソース回路３１０１には、電流源回路１０１と接続された電流線３１０２と、オペアンプ４０７の出力端子と接続された電圧線３１０３とが接続されている。電流線３１０２や電圧線３１０３には、複数のユニット回路３１０４ａ、３１０４ｂが接続されている。ユニット回路３１０４ａは、電流源トランジスタ１０２ａ、容量素子１０３ａ、スイッチ１１０２ａ、１１０３ａ、１１０４ａ、１１０６ａ、１１０７ａなどで構成されている。ユニット回路３１０４ａは、配線１１０５ａと接続された負荷１１０１ａと接続されている。ユニット回路３１０４ｂも、ユニット回路３１０４ａと同様に構成されている。ここでは、簡単のため、ユニット回路が２つ接続されている場合を示しているが、これに限定されない。任意の数だけユニット回路が接続されていてもよい。
【０１０１】
動作としては、１本の電流線３１０２や電圧線３１０３に、複数のユニット回路が接続されているため、各々のユニット回路を選択して、順次、リソース回路３１０１から電流線３１０２や電圧線３１０３を通って、電流や電圧を供給していくことになる。例えば、まず、スイッチ３１１０３ａ、１１０４ａ、１１０７ａをオンにして、ユニット回路３１０４ａに電流や電圧を入力して、次に、スイッチ１１０３ｂ、１１０４ｂ、１１０７ｂをオンにして、ユニット回路３１０４ｂに電流や電圧を入力して、というような動作を繰り返すことにより、動作させる。
【０１０２】
このようなスイッチの制御は、シフトレジスタ、デコーダ回路、カウンタ回路、ラッチ回路、などのようなデジタル回路を用いて、制御することが出来る。
【０１０３】
ここで、もし、負荷１１０１ａ、１１０１ｂなどがＥＬ素子などの表示素子である場合、ユニット回路と負荷が１つの画素を構成することになる。そして、リソース回路３１０１が、信号線（電流線３１０２や電圧線３１０３）に接続された画素に信号を供給する信号線駆動回路（の一部）であることになる。つまり、図３１は、１列分の画素や信号線駆動回路（の一部）を示していることになる。その場合、電流源回路１０１が出力する電流は、画像信号に相当することになる。この画像信号電流をアナログ的に、もしくは、デジタル的に変化させることによって、各々適切な大きさの電流を負荷１１０１ａ、１１０１ｂ（ＥＬ素子などの表示素子）に流すことが出来る。この場合は、スイッチ１１０３ａ、１１０４ａ、１１０７ａ、スイッチ１１０３ｂ、１１０４ｂ、１１０７ｂなどは、ゲート線駆動回路を用いて制御することになる。
【０１０４】
また、図３１における電流源回路１０１が、信号線駆動回路（の一部）であるとした場合、その電流源回路１０１も、トランジスタの電流特性バラツキやサイズのバラツキなどの影響を受けずに、正確な電流を出力する必要がある。よって、信号線駆動回路（の一部）の中の電流源回路１０１が電流源トランジスタ１０２、２０２、３０２、１０００２と同じ働きをするトランジスタを含む回路で構成されていて、別の電流源回路から信号線駆動回路（の一部）の中の電流源トランジスタに電流を供給することが出来る。つまり、図３１における負荷１１０１ａ、１１０１ｂなどが信号線や信号線に接続された画素などである場合、ユニット回路３１０４ａ、３１０４ｂが信号線駆動回路（の一部）を構成することになる。そして、リソース回路３１０１が、電流線３１０２に接続された信号線駆動回路の中の電流源トランジスタ（電流源回路）に信号を供給する電流源回路（の一部）であることになる。つまり、図３１は、複数の信号線や信号線駆動回路（の一部）や信号線駆動回路に電流を供給する電流源回路（の一部）を示していることになる。
【０１０５】
その場合、電流源回路１０１が出力する電流は、信号線や画素に供給する電流に相当することになる。よって、例えば、電流源回路１０１が出力する電流に応じた大きさの電流を信号線や信号線に接続された画素に供給する場合は、電流源回路１０１が出力する電流は、画像信号に相当することになる。この画像信号電流をアナログ的に、もしくは、デジタル的に変化させることによって、各々適切な大きさの電流を負荷（信号線や信号線に接続された画素）に流すことが出来る。この場合は、スイッチ１１０３ａ、１１０４ａ、１１０７ａ、スイッチ１１０３ｂ、１１０４ｂ、１１０７ｂなどは、信号線駆動回路の中の一部の回路（シフトレジスタやラッチ回路など）を用いて制御することになる。
【０１０６】
なお、スイッチ１１０３ａ、１１０４ａ、１１０７ａ、スイッチ１１０３ｂ、１１０４ｂ、１１０７ｂを制御するための回路（シフトレジスタやラッチ回路など）などについては、国際公開第  ０３／０３８７９６号パンフレット、国際公開第  ０３／０３８７９７号パンフレット、などに記載されているため、その内容を本願と組み合わせることが出来る。
【０１０７】
あるいは、電流源回路１０１が出力する電流は、ある決まった大きさの電流を供給するようになっており、それを供給するかどうかをスイッチなどを用いて制御して、それに応じた大きさの電流を信号線や画素に供給する場合は、電流源回路１０１が出力する電流は、ある決まった大きさの電流を供給するための信号電流に相当することになる。そして、信号線や画素に電流を供給するかどうかを決めるスイッチをデジタル的に制御させ、信号線や画素に供給される電流量を制御することによって、各々適切な大きさの電流を負荷（信号線や画素）に流すことが出来る。この場合は、スイッチ１１０３ａ、１１０４ａ、１１０７ａ、スイッチ１１０３ｂ、１１０４ｂ、１１０７ｂなどは、信号線駆動回路の中の一部の回路（シフトレジスタやラッチ回路など）を用いて制御することになる。ただし、この場合は、信号線や画素に電流を供給するかどうかを決めるスイッチを制御するために駆動回路（シフトレジスタやラッチ回路など）が必要になる。そのため、そのスイッチを制御するために駆動回路（シフトレジスタやラッチ回路など）と、スイッチ１１０３ａ、１１０４ａ、１１０７ａ、スイッチ１１０３ｂ、１１０４ｂ、１１０７ｂなど制御するための駆動回路（シフトレジスタやラッチ回路など）が必要になる。それらの駆動回路は、別々に設けても良い。例えば、スイッチ１１０３ａ、１１０４ａ、１１０７ａ、スイッチ１１０３ｂ、１１０４ｂ、１１０７ｂを制御するためのシフトレジスタを別に設けても良い。あるいは、スイッチを制御するために駆動回路（シフトレジスタやラッチ回路など）と、スイッチ１１０３ａ、１１０４ａ、１１０７ａ、スイッチ１１０３ｂ、１１０４ｂ、１１０７ｂなど制御するための駆動回路（シフトレジスタやラッチ回路など）を、一部もしくは全部で、共用してもよい。例えば、１つのシフトレジスタで両方のスイッチを制御してもよいし、信号線や画素に電流を供給するかどうかを決めるスイッチを制御するための駆動回路（シフトレジスタやラッチ回路など）において、ラッチ回路の出力（画像信号）などを用いて制御してもよい。
【０１０８】
なお、信号線や画素に電流を供給するかどうかを決めるスイッチを制御するための駆動回路（シフトレジスタやラッチ回路など）と、スイッチ１１０３ａ、１１０４ａ、１１０７ａ、スイッチ１１０３ｂ、１１０４ｂ、１１０７ｂなど制御するための駆動回路（シフトレジスタやラッチ回路など）とに関しては、国際公開第  ０３／０３８７９３号パンフレット、国際公開第  ０３／０３８７９４号パンフレット、国際公開第  ０３／０３８７９５号パンフレット、などに記載されているため、その内容を本願と組み合わせることが出来る。
【０１０９】
図３１では、電流源トランジスタ１０２ａ、１０２ｂと負荷１１０１ａ、１１０１ｂが１対１で配置されている場合を示した。次に、１つの負荷に、複数の電流源トランジスタが配置されている場合を図３２に示す。ここでは簡単のため、１つの負荷に対して２個のユニット回路が接続されている場合を示すが、これに限定されない。さらに多くのユニット回路が接続されていてもよいし、１個だけでもよい。スイッチ３２０１ａａ、スイッチ３２０１ｂａのオンオフにより、負荷１１０１ａａに流れる電流量を制御できる。例えば、ユニット回路３１０４ａａが出力する電流値（Ｉａａ）とユニット回路３１０４ｂａが出力する電流値（Ｉｂａ）の大きさが異なる場合、スイッチ３２０１ａａとスイッチ３２０１ｂａの各々のオンオフにより、負荷１１０１ａａに流れる電流の大きさを４種類で制御できることになる。例えば、Ｉｂａ＝２＊Ｉａａの場合、２ビットの大きさを制御できることになる。したがって、スイッチ３２０１ａａ、スイッチ３２０１ｂａのオンオフを各ビットに対応したデジタルデータによって制御する場合、図３２の構成を用いて、デジタル・アナログ変換機能を実現できる。したがって、負荷１１０１ａａ、１１０１ｂｂが信号線の場合、図３２の構成を用いて、信号線駆動回路（の一部）を構成させることが出来る。そのとき、デジタル画像信号をアナログ画像信号電流に変換することが出来る。また、スイッチ３２０１ａａやスイッチ３２０１ｂａなどのオンオフは、画像信号を用いて制御することが出来る。したがって、画像信号を出力する回路（ラッチ回路）などを用いて、スイッチ３２０１ａａやスイッチ３２０１ｂａなどを制御することが出来る。
【０１１０】
また、スイッチ３２０１ａａ、スイッチ３２０１ｂａのオンオフを時間によって切り替えてもよい。例えば、ある期間は、スイッチ３２０１ａａをオン、スイッチ３２０１ｂａのオフにして、その時は、リソース回路３１０１ｂからユニット回路３１０４ｂａに電流を入力して、正確な電流を出力できるように設定を行い、ユニット回路３１０４ａａから負荷１１０１ａａに電流を供給する。そして別の期間では、スイッチ３２０１ａａをオフ、スイッチ３２０１ｂａのオンにして、その時は、リソース回路３１０１ａからユニット回路３１０４ａａに電流を入力して、正確な電流を出力できるように設定を行い、ユニット回路３１０４ｂａから負荷１１０１ａａに電流を供給する。このように、時間的に切り替えて動作させてもよい。
【０１１１】
次に、図３２では、２つのリソース回路３１０１ａ、３１０１ｂを用いて、ユニット回路３１０４ａａ、３１０４ｂａ、３１０４ａｂ、３１０４ｂｂに電流を供給していたが、図３３では、１つのリソース回路３１０１を用いて、ユニット回路３１０４ｃａ、３１０４ｃｂ、３１０４ｄａ、３１０４ｄｂに電流を供給する場合について述べる。
【０１１２】
例えば、配線３３０４ｃがＨ信号の時、スイッチ３３０１ｃａ、３３０２ｃａ、３３０３ｃｂがオンになり、スイッチ３３０３ｃａ、３３０１ｃｂ、３３０２ｃｂがオフになるとする。すると、ユニット回路３１０４ｃａはリソース回路３１０１から電流を供給されることが可能な状況になり、ユニット回路３１０４ｃｂは、負荷１１０１ｃａに電流を供給することが可能な状況になる。逆に、配線３３０４ｃがＬ信号の時、ユニット回路３１０４ｃｂはリソース回路３１０１から電流を供給されることが可能な状況になり、ユニット回路３１０４ｃａは、負荷１１０１ｃａに電流を供給することが可能な状況になる。また、配線３３０４ｃや配線３３０４ｄなどは、順次選択するような信号を入力していけばよい。このように、時間的にユニット回路の動作を切り替えてもよい。
【０１１３】
また、負荷１１０１ｃａ、１１０１ｄａが信号線の場合、図３３の構成を用いて、信号線駆動回路（の一部）を構成させることが出来る。また、配線３３０４ｃや配線３３０４ｄなどは、シフトレジスタなどを用いて制御すればよい。
【０１１４】
なお、本実施の形態では、図１２の構成で、電流源トランジスタが複数ある場合の構成を示したが、これに限定されない。図１２以外の構成でも実現できる。
【０１１５】
なお、本実施の形態で説明した内容は、実施の形態１、２、３で説明した構成を利用したものに相当するが、これに限定されず、その要旨を変更しない範囲であれば様々な変形が可能である。したがって、実施の形態１、２、３で説明した内容は、本実施の形態にも適用できる。
【０１１６】
（実施の形態５）
本実施の形態では、表示素子を有する画素に適用した場合の例を示す。
【０１１７】
本実施の形態では、主に、図１（図１１、図２、図５）や図３（図８）を用いた場合について述べるが、これに限定されない。実施の形態１〜４で説明した様々な構成に適用することが出来る。
【０１１８】
まず、電流源回路２０１が画像信号として信号電流を供給するような構成の場合について、図３４、３５に示す。図３４と図３５とでは、電流の流れる向きは同じであるが、電流源トランジスタ２０２の極性が異なる。そのため、接続構造が異なっている。なお、負荷１１０１としては、例として、ＥＬ素子の場合を示している。
【０１１９】
また、電流源回路２０１が画像信号として供給する信号電流が、アナログ値の場合は、アナログ階調で画像を表示することが出来る。信号電流が、デジタル値の場合は、デジタル階調で画像を表示することが出来る。多階調化を図る場合は、時間階調方式や面積階調方式を組み合わせればよい。
【０１２０】
なお、ここでは特に時間階調方式について詳細な説明は省略するが、特開２００１−５４２６号出願、特開２００１−３４３９３３号等に記載されている方法によれば良い。
【０１２１】
また、各スイッチ１１０２、１１０４、１１０６、１１０７制御するゲート線は、トランジスタの極性を調整することにより、１本に共用している。これにより、開口率を向上させることが出来る。ただし、別々のゲート線を配置しても良い。特に、時間階調方式を用いる場合は、ある特定の期間において、負荷１１０１（ＥＬ素子）に電流を供給しないような動作をしたい場合がある。その場合は、負荷１１０１（ＥＬ素子）に電流を供給しないように出来るスイッチ１１０２を制御するゲート線を別の配線とすればよい。
【０１２２】
次に、画素にサブ電流源回路３６０１を有し、サブ電流源回路３６０１が供給する電流を流すかどうかによって画像を表現するような場合の構成の画素について、図３６に構成を示す。選択ゲート線３６０６が選択されたときに、スイッチ３６０４がオンになり、信号線３６０５から、デジタルの画像信号（通常は電圧値）を容量素子３６０３に入力する。なお、容量素子３６０３は、トランジスタのゲート容量などを用いることにより、省略可能である。そして、保存されたデジタルの画像信号を用いて、スイッチ３６０２をオンオフする。電流源回路３６０１が供給する電流が、負荷１１０１に流れるかどうかを、スイッチ３６０２が制御する。これにより、画像を表現することが出来る。
【０１２３】
なお、多階調化を図る場合は、時間階調方式や面積階調方式を組み合わせればよい。
【０１２４】
また、図３６では、サブ電流源回路３６０１やスイッチ３６０２は、１つづつしか配置されていないが、これに限定されない。複数組配置して、各々の電流源回路から電流が流れるかどうかを制御して、その電流の総和が負荷１１０１に流れるようにしてもよい。
【０１２５】
次に、図３６の具体的な構成例を図３７に示す。ここでは、電流源トランジスタの構成として、図１（図１１、図２、図５）に示した構成を適用している。電流源回路２０１から電流を電流源トランジスタ２０２と容量素子３６０３に供給して、電流源トランジスタ２０２のゲート端子に適切な電圧を設定する。そして、信号線３６０５から入力される画像信号に応じて、スイッチ３６０２をオンオフして、負荷１１０１に電流を供給し、画像を表示する。
【０１２６】
なお、本実施の形態で説明した内容は、実施の形態１〜４で説明した構成を利用したもの相当するが、これに限定されず、その要旨を変更しない範囲であれば様々な変形が可能である。したがって、実施の形態１〜４で説明した内容は、本実施の形態にも適用できる。
【０１２７】
（実施の形態６）
本実施の形態では、表示装置、および、信号線駆動回路などの構成とその動作について、説明する。信号線駆動回路の一部や画素に、本発明の回路を適用することができる。
【０１２８】
表示装置は、図３８に示すように、画素配列３８０１、ゲート線駆動回路３８０２、信号線駆動回路３８１０を有している。ゲート線駆動回路３８０２は、画素配列３８０１に選択信号を順次出力する。信号線駆動回路３８１０は、画素配列３８０１にビデオ信号を順次出力する。画素配列３８０１では、ビデオ信号に従って、光の状態を制御することにより、画像を表示する。信号線駆動回路３８１０から画素配列３８０１へ入力するビデオ信号は、電流である場合が多い。つまり、各画素に配置された表示素子や表示素子を制御する素子は、信号線駆動回路３８１０から入力されるビデオ信号（電流）によって、状態を変化させる。画素に配置する表示素子の例としては、ＥＬ素子やＦＥＤ（フィールドエミッションディスプレイ）で用いる素子などがあげられる。
【０１２９】
なお、ゲート線駆動回路３８０２や信号線駆動回路３８１０は、複数配置されていてもよい。
【０１３０】
信号線駆動回路３８１０は、構成を複数の部分に分けられる。大まかには、一例として、シフトレジスタ３８０３、第１ラッチ回路（ＬＡＴ１）３８０４、第２ラッチ回路（ＬＡＴ２）３８０５、デジタル・アナログ変換回路３８０６に分けられる。デジタル・アナログ変換回路３８０６には、電圧を電流に変換する機能も有しており、ガンマ補正を行う機能も有していてもよい。つまり、デジタル・アナログ変換回路３８０６には、画素に電流（ビデオ信号）を出力する回路、すなわち、電流源回路を有しており、そこに本発明を適用することが出来る。
【０１３１】
なお、図３６に示したように、画素の構成によっては、ビデオ信号用のデジタル電圧信号と、画素の中の電流源回路のための制御用の電流とを、画素に入力する場合がある。その場合は、デジタル・アナログ変換回路３８０６は、デジタル・アナログ変換機能ではなく、電圧を電流に変換する機能を有しており、その電流を制御用の電流として画素に出力する回路、すなわち、電流源回路を有しており、そこに本発明を適用することが出来る。
【０１３２】
また、画素は、ＥＬ素子などの表示素子を有している。その表示素子に電流（ビデオ信号）を出力する回路、すなわち、電流源回路を有しており、そこにも、本発明を適用することが出来る。
【０１３３】
そこで、信号線駆動回路３８１０の動作を簡単に説明する。シフトレジスタ３８０３は、フリップフロップ回路（ＦＦ）等を複数列用いて構成され、クロック信号（Ｓ−ＣＬＫ）、スタートパルス（ＳＰ）、クロック反転信号（Ｓ−ＣＬＫｂ）が入力される、これらの信号のタイミングに従って、順次サンプリングパルスが出力される。
【０１３４】
シフトレジスタ３８０３より出力されたサンプリングパルスは、第１ラッチ回路（ＬＡＴ１）３８０４に入力される。第１ラッチ回路（ＬＡＴ１）３８０４には、ビデオ信号線３８０８より、ビデオ信号が入力されており、サンプリングパルスが入力されるタイミングに従って、各列でビデオ信号を保持していく。なお、デジタル・アナログ変換回路３８０６を配置している場合は、ビデオ信号はデジタル値である。また、この段階でのビデオ信号は、電圧であることが多い。
【０１３５】
ただし、第１ラッチ回路３８０４や第２ラッチ回路３８０５が、アナログ値を保存できる回路である場合は、デジタル・アナログ変換回路３８０６は省略できる場合が多い。その場合、ビデオ信号は、電流であることも多い。また、画素配列３８０１に出力するデータが２値、つまり、デジタル値である場合は、デジタル・アナログ変換回路３８０６は省略できる場合が多い。
【０１３６】
第１ラッチ回路（ＬＡＴ１）３８０４において、最終列までビデオ信号の保持が完了すると、水平帰線期間中に、ラッチ制御線３８０９よりラッチパルス（Ｌａｔｃｈ  Ｐｕｌｓｅ）が入力され、第１ラッチ回路（ＬＡＴ１）３８０４に保持されていたビデオ信号は、一斉に第２ラッチ回路（ＬＡＴ２）３８０５に転送される。その後、第２ラッチ回路（ＬＡＴ２）３８０５に保持されたビデオ信号は、１行分が同時に、デジタル・アナログ変換回路３８０６へと入力される。そして、デジタル・アナログ変換回路３８０６から出力される信号は、画素配列３８０１へ入力される。
【０１３７】
第２ラッチ回路（ＬＡＴ２）３８０５に保持されたビデオ信号がデジタル・アナログ変換回路３８０６に入力され、そして、画素３８０１に入力されている間、シフトレジスタ３８０３においては再びサンプリングパルスが出力される。つまり、同時に２つの動作が行われる。これにより、線順次駆動が可能となる。以後、この動作を繰り返す。
【０１３８】
なお、デジタル・アナログ変換回路３８０６が有している電流源回路が、設定動作と出力動作とを行うような回路である場合、つまり、別の電流源回路から電流を入力して、トランジスタの特性バラツキの影響を受けない電流を出力できるような回路である場合、その電流源回路に、電流を流す回路が必要となる。そのような場合、リファレンス用電流源回路３８１４が配置されている。
【０１３９】
なお、信号線駆動回路などの構成は、図３８に限定されない。
【０１４０】
例えば、第１ラッチ回路３８０４や第２ラッチ回路３８０５が、アナログ値を保存できる回路である場合、図３９に示すように、リファレンス用電流源回路３８１４から第１ラッチ回路（ＬＡＴ１）３８０４に、ビデオ信号（アナログ電流）が入力されることもある。また、図３９において、第２ラッチ回路３８０５が存在しない場合もある。そのような場合は、第１ラッチ回路３８０４に、より多くの電流源回路が配置されている場合が多い。
【０１４１】
このような場合、図３８における、デジタル・アナログ変換回路３８０６の中の電流源回路に、本発明を適用することが出来る。デジタル・アナログ変換回路３８０６の中に、沢山のユニット回路があり、リファレンス用電流源回路３８１４に、電流源回路１０１や増幅回路１０７が配置されている。
【０１４２】
あるいは、図３９における、第１ラッチ回路（ＬＡＴ１）３８０４の中の電流源回路に、本発明を適用することが出来る。第１ラッチ回路（ＬＡＴ１）３８０４の中に、沢山のユニット回路があり、リファレンス用電流源回路３８１４に、電流源回路１０１が配置されている。
【０１４３】
あるいは、図３８、図３９における画素配列３８０１の中の画素（その中の電流源回路）に、本発明を適用することが出来る。画素配列３８０１の中に、沢山のユニット回路があり、信号線駆動回路３８１０に、電流源回路１０１や増幅回路１０７が配置されている。
【０１４４】
つまり、回路の様々な部分に、電流を供給するような回路が存在する。そのような電流源回路は、正確な電流を出力する必要がある。そのため、別の電流源回路を用いて、トランジスタが正確な電流が出力できるように設定を行う。別の電流源回路も、正確な電流を出力する必要がある。したがって、図４０〜図４２に示すように、ある場所に、基本となる電流源回路があり、そこから電流源トランジスタを次々に設定していく。それにより、電流源回路は、正確な電流を出力することが可能となる。よって、そのような部分に、本発明を適用することが出来る。
【０１４５】
なお、すでに述べたように、本発明におけるトランジスタは、どのようなタイプのトランジスタでもよいし、どのような基板上に形成されていてもよい。したがって、図３８、図３９などで示したような回路が、全てガラス基板上に形成されていてもよいし、プラスチック基板に形成されていてもよいし、単結晶基板に形成されていてもよいし、ＳＯＩ基板上に形成されていてもよいし、どのような基板上に形成されていてもよい。あるいは、図３８、図３９などにおける回路の一部が、ある基板に形成されており、図３８、図３９などにおける回路の別の一部が、別の基板に形成されていてもよい。つまり、図３８、図３９などにおける回路の全てが同じ基板上に形成されていなくてもよい。例えば、図３８、図３９などにおいて、画素３８０１とゲート線駆動回路３８０２とは、ガラス基板上にＴＦＴを用いて形成し、信号線駆動回路３８１０（もしくはその一部）は、単結晶基板上に形成し、そのＩＣチップをＣＯＧ（Ｃｈｉｐ  Ｏｎ  Ｇｌａｓｓ）で接続してガラス基板上に配置してもよい。あるいは、そのＩＣチップをＴＡＢ（Ｔａｐｅ  Ａｕｔｏ  Ｂｏｎｄｉｎｇ）やプリント基板を用いてガラス基板と接続してもよい。
【０１４６】
なお、本実施の形態で説明した内容は、実施の形態１〜５で説明した内容を利用したものに相当する。したがって、実施の形態１〜５で説明した内容は、本実施の形態にも適用できる。
【０１４７】
（実施の形態７）
本発明は電子機器の表示部を構成する電気回路に用いることができる。そのような電子機器として、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはＤｉｇｉｔａｌ  Ｖｅｒｓａｔｉｌｅ  Ｄｉｓｃ（ＤＶＤ）等の記録媒体を再生し、その画像を表示しうるディスプレイを備えた装置）などが挙げられる。つまり、これらの表示部を構成する電気回路（例えば画素や、画素を駆動する信号線駆動回路等）に本発明を適用することができる。それらの電子機器の具体例を図４３Ａ〜４３Ｈに示す。
【０１４８】
図４３Ａは発光装置（ここで、発光装置とは自発光型の発光素子を表示部に用いた表示装置をいう）であり、筐体１３００１、支持台１３００２、表示部１３００３、スピーカー部１３００４、ビデオ入力端子１３００５等を含む。本発明は表示部１３００３を構成する電気回路に用いることができる。また本発明により、図４３Ａに示す発光装置が完成される。発光装置は自発光型であるためバックライトが必要なく、液晶ディスプレイよりも薄い表示部とすることができる。なお、発光装置は、パソコン用、ＴＶ放送受信用、広告表示用などの全ての情報表示用表示装置が含まれる。
【０１４９】
図４３Ｂはデジタルスチルカメラであり、本体１３１０１、表示部１３１０２、受像部１３１０３、操作キー１３１０４、外部接続ポート１３１０５、シャッター１３１０６等を含む。本発明は、表示部１３１０２を構成する電気回路に用いることができる。また本発明により、図４３Ｂに示すデジタルスチルカメラが完成される。
【０１５０】
図４３Ｃはノート型パーソナルコンピュータであり、本体１３２０１、筐体１３２０２、表示部１３２０３、キーボード１３２０４、外部接続ポート１３２０５、ポインティングマウス１３２０６等を含む。本発明は、表示部１３２０３を構成する電気回路に用いることができる。また本発明により、図４３Ｃに示す発光装置が完成される。
【０１５１】
図４３Ｄはモバイルコンピュータであり、本体１３３０１、表示部１３３０２、スイッチ１３３０３、操作キー１３３０４、赤外線ポート１３３０５等を含む。本発明は、表示部１３３０２を構成する電気回路に用いることができる。また本発明により、図４３Ｄに示すモバイルコンピュータが完成される。
【０１５２】
図４３Ｅは記録媒体を備えた携帯型の画像再生装置（具体的にはＤＶＤ再生装置）であり、本体１３４０１、筐体１３４０２、表示部Ａ１３４０３、表示部Ｂ１３４０４、記録媒体（ＤＶＤ等）読み込み部１３４０５、操作キー１３４０６、スピーカー部１３４０７等を含む。表示部Ａ１３４０３は主として画像情報を表示し、表示部Ｂ１３４０４は主として文字情報を表示するが、本発明は、表示部Ａ、Ｂ１３４０３、１３４０４を構成する電気回路に用いることができる。なお、記録媒体を備えた画像再生装置には家庭用ゲーム機器なども含まれる。また本発明により、図４３Ｅに示すＤＶＤ再生装置が完成される。
【０１５３】
図４３Ｆはゴーグル型ディスプレイ（ヘッドマウントディスプレイ）であり、本体１３５０１、表示部１３５０２、アーム部１３５０３を含む。本発明は、表示部１３５０２を構成する電気回路に用いることができる。また本発明により、図４３Ｆに示すゴーグル型ディスプレイが完成される。
【０１５４】
図４３Ｇはビデオカメラであり、本体１３６０１、表示部１３６０２、筐体１３６０３、外部接続ポート１３６０４、リモコン受信部１３６０５、受像部１３６０６、バッテリー１３６０７、音声入力部１３６０８、操作キー１３６０９等を含む。本発明は、表示部１３６０２を構成する電気回路に用いることができる。また本発明により、図４３Ｇに示すビデオカメラが完成される。
【０１５５】
図４３Ｈは携帯電話であり、本体１３７０１、筐体１３７０２、表示部１３７０３、音声入力部１３７０４、音声出力部１３７０５、操作キー１３７０６、外部接続ポート１３７０７、アンテナ１３７０８等を含む。本発明は、表示部１３７０３を構成する電気回路に用いることができる。なお、表示部１３７０３は黒色の背景に白色の文字を表示することで携帯電話の消費電流を抑えることができる。また本発明により、図４３Ｈに示す携帯電話が完成される。
【０１５６】
なお、将来的に発光材料の発光輝度が高くなれば、出力した画像情報を含む光をレンズ等で拡大投影してフロント型若しくはリア型のプロジェクターに用いることも可能となる。
【０１５７】
また、上記電子機器はインターネットやＣＡＴＶ（ケーブルテレビ）などの電子通信回線を通じて配信された情報を表示することが多くなり、特に動画情報を表示する機会が増してきている。発光材料の応答速度は非常に高いため、発光装置は動画表示に好ましい。
【０１５８】
また、発光装置は発光している部分が電力を消費するため、発光部分が極力少なくなるように情報を表示することが望ましい。従って、携帯情報端末、特に携帯電話や音響再生装置のような文字情報を主とする表示部に発光装置を用いる場合には、非発光部分を背景として文字情報を発光部分で形成するように駆動することが望ましい。
【０１５９】
以上の様に、本発明の適用範囲は極めて広く、あらゆる分野の電子機器に用いることが可能である。また本実施の形態の電子機器は、実施の形態１〜４に示したいずれの構成の半導体装置を用いても良い。
【図１】
0005448266.tif 000002
【図２】
0005448266.tif 000003
【図３】
0005448266.tif 000004
【図４】
0005448266.tif 000005
【図５】
0005448266.tif 000006
【図６】
0005448266.tif 000007
【図７】
0005448266.tif 000008
【図８】
0005448266.tif 000009
【図９】
0005448266.tif 000010
【図１０】
0005448266.tif 000011
【図１１】
0005448266.tif 000012
【図１２】
0005448266.tif 000013
【図１３】
0005448266.tif 000014
【図１４】
0005448266.tif 000015
【図１５】
0005448266.tif 000016
【図１６】
0005448266.tif 000017
【図１７】
0005448266.tif 000018
【図１８】
0005448266.tif 000019
【図１９】
0005448266.tif 000020
【図２０】
0005448266.tif 000021
【図２１】
0005448266.tif 000022
【図２２】
0005448266.tif 000023
【図２３】
0005448266.tif 000024
【図２４】
0005448266.tif 000025
【図２５】
0005448266.tif 000026
【図２６】
0005448266.tif 000027
【図２７】
0005448266.tif 000028
【図２８】
0005448266.tif 000029
【図２９】
0005448266.tif 000030
【図３０】
0005448266.tif 000031
【図３１】
0005448266.tif 000032
【図３２】
0005448266.tif 000033
【図３３】
0005448266.tif 000034
【図３４】
0005448266.tif 000035
【図３５】
0005448266.tif 000036
【図３６】
0005448266.tif 000037
【図３７】
0005448266.tif 000038
【図３８】
0005448266.tif 000039
【図３９】
0005448266.tif 000040
【図４０】
0005448266.tif 000041
【図４１】
0005448266.tif 000042
【図４２】
0005448266.tif 000043
【図４３】
0005448266.tif 000044
【図４４】
0005448266.tif 000045